(57)【特許請求の範囲】
【請求項１】
底面から機外接続配管が取出された機器の梱包装置であって、
薄板を井桁状に組合わせ、長手方向と直交して搬送手段の爪の差込み口を有する梱包木材ベースと、
上面に前記機器の載置面を有し、前記梱包木材ベースの長手方向の両側上面に嵌着された第１、第２の緩衝材ベースと、
外郭の広い面を下にして前記第１、第２の緩衝材ベース上に横置きにされた前記機器の天面と底面に外嵌される第１、第２の緩衝材サイドカバーとを備え、
前記第２の緩衝材サイドカバーに、前記機器の底面から取出された機外接続配管を収容する凹部を設けると共に、背面板の下端部から底面にかけてＲ形状部を設けてあり、
前記第２の緩衝材サイドカバーは、前記Ｒ形状部を支点に傾けられると、当該Ｒ形状部に連続する底面と前記梱包木材ベースの角部とが接して、床面にずれ落ちることを特徴とする機器の梱包装置。
【請求項２】
前記第２の緩衝材サイドカバーは、前記Ｒ形状部を支点に傾けられると、当該Ｒ形状部が前記梱包木材ベースの角部に接したのちに、当該Ｒ形状部に連続する底面と前記梱包木材ベースの角部とが接して、床面にずれ落ちることを特徴とする請求項１記載の機器の梱包装置。
【請求項３】
前記第２の緩衝材サイドカバーは、
床面と平行な面及び床面と垂直な面からなるほぼ門形状の枠部と、
底面に設けられて前記機器を縦置きにしたときに該機器を支持する台座と、
をさらに備えたことを特徴とする請求項１または請求項２に記載の機器の梱包装置。
【請求項４】
前記第２の緩衝材ベースに、前記第２の緩衝材サイドカバーの前記台座が嵌合される切欠き部が設けられたことを特徴とする請求項３記載の機器の梱包装置。
【請求項５】
前記第１、第２の緩衝材ベース上に横置きにされ、前記第１、第２の緩衝材サイドカバーが外嵌された機器を覆う箱状の段ボールを設けたことを特徴とする請求項１〜４のいずれか一項に記載の機器の梱包装置。
【発明の詳細な説明】
【技術分野】
【０００１】
本発明は、機器の梱包装置に係り、より詳しくは、例えば空気調和機の室内ユニットの如く、底面に機外接続配管の如き突出部が設けられ、かつ重量及び外形が大きい機器の梱包装置に関するものである。
【背景技術】
【０００２】
従来の梱包装置に、下部から各種配管接続口が下方に突出して設けられた給湯機の底面側を梱包時の底面側にして、外装ケースの天面及び底面に発泡スチロール等からなる緩衡体を外嵌し、底面側の緩衡体には給湯機の底面に設けた各種配管接続口が挿入される複数の挿入溝を設けて縦置きにし、段ボールの梱包箱で包装することにより、１人の作業員で給湯機の据付作業を容易に行えるようにしたものがある（例えば、特許文献１参照）。
【先行技術文献】
【特許文献】
【０００３】
【特許文献１】実開平５−２９９７２号公報（第７−８頁、図２−３）
【発明の概要】
【発明が解決しようとする課題】
【０００４】
特許文献１の給湯機の梱包装置は、梱包する給湯機の重量が２０ｋｇ前後と軽量で外形も小さく、据付作業を１人で行うため、給湯機の外郭面の中で最も面積の小さい床面を梱包時の底面側にして、天面と底面に緩衡体を外嵌することにより、縦置きの状態で梱包箱で梱包することができる。
【０００５】
しかしながら、梱包する機器が例えば空気調和機の室内ユニットの如く、重量が５０ｋｇ以上でその上外形が大きく、据付作業を２人の作業員で行うような機器の場合には、機器の外郭面で最も面積の大きい面を床面側、すなわち機器を床面と平行に寝かせて梱包しなければ、倉庫保管等で高積みした際梱包バランスが悪くなり、安定した保管ができない。
また、特許文献１の梱包装置では、搬送時にフォークリフト等の搬送手段を仕様することができない。
【０００６】
本発明は、上記の課題を解決するためになされたもので、底面から機外接続配管が取出された機器において、倉庫保管時のために高積みした際の梱包バランスが安定し、また、フォークリフト等の搬送手段を使用することのできる機器の梱包装置を提供することを第一の目的とするものである。
また、本発明は、軽量かつ小型の機器を縦置きにした状態で梱包した場合と同様の据付性を確保することのできる機器の梱包装置を提供することを第二の目的とするものである。
【課題を解決するための手段】
【０００７】
本発明は、底面から機外接続配管が取出された機器の梱包装置であって、薄板を井桁状に組合わせ、長手方向と直交して搬送手段の爪の差込み口を有する梱包木材ベースと、上面に機器の載置面を有し、梱包木材ベースの長手方向の両側上面に嵌着された第１、第２の緩衝材ベースと、外郭の広い面を下にして第１、第２の緩衝材ベース上に横置きにされた機器の天面と底面に外嵌される第１、第２の緩衝材サイドカバーとを備え、
第２の緩衝材サイドカバーに、機器の底面から取出された機外接続配管を収容する凹部を設けると共に、背面板の下端部から底面にかけてＲ形状部を設けてあり、第２の緩衝材サイドカバーは、Ｒ形状部を支点に傾けられると、Ｒ形状部に連続する底面と梱包木材ベースの角部とが接して、床面にずれ落ちるものである。
【発明の効果】
【０００８】
本発明によれば、梱包した機器を倉庫保管等の際に高積みして安定して保管することができ、また搬送にあたってはフォークリフト等の搬送手段を使用できるので、作業が容易である。
また、梱包木材ベース上に横置きして梱包した機器を据付ける際に、機器の底面に外嵌した第２の緩衝材サイドカバーを下にした状態で機器を起こして床面に降し、かつ縦置きすることができるので据付作業が容易であり、機外接続配管が変形したりするおそれもない。
【図面の簡単な説明】
【０００９】
【図１】本発明の実施の形態１に係る梱包装置の説明図である。
【図２】図１の梱包木材ベースの斜視図である。
【図３】図１の第１、第２の緩衝材ベースの上面斜視図である。
【図４】図３の下面斜視図である。
【図５】図１の第１の緩衝材サイドカバーの背面側斜視図及び前面側斜視図である。
【図６】図１の第２の緩衝材サイドカバーの背面側斜視図、前面側斜視図及び矢視Ｘ斜視図である。
【図７】図１の梱包装置による機器の梱包手順の説明図である。
【図８】梱包した機器の据付手順の説明図である。
【図９】本発明の実施の形態２に係る梱包装置の第２の緩衝材サイドカバーの斜視図である。
【図１０】図９の第２の緩衝材サイドカバーを底面に外嵌して縦置きした状態の機器の斜視図である。
【図１１】図１０の機器を作業員が持ち上げる状態を示す説明図である。
【図１２】本発明に係る梱包装置により梱包される機器の一例である空気調和機の室内ユニットの前面側斜視図である。
【図１３】図１２の背面側斜視図である。
【図１４】図１２の室内ユニットを壁面に据付ける手順の説明図である。
【発明を実施するための形態】
【００１０】
図１２は本発明に係る梱包装置によって梱包される機器の前面側斜視図、図１３はその背面側斜視図である。なお、図には、機器として空気調和機の室内ユニットが示してある。
両図において、１は室内ユニットで、２は前面、上面及び両側面を覆う塗装された鈑金製の意匠ケース、３は背面側に設けられた非意匠面である据付面で、上部には壁面据付用金具４が設けられている。５は底面で、空気調和機の室外ユニット（図示せず）と室内ユニット１とを接続する複数の機外接続配管６が突出して設けられており、底面からの突出長は約１０ｃｍである。なお、上記の室内ユニット１は、縦９１ｃｍ、横６０ｃｍ、奥行５６ｃｍで、重量は約５０ｋｇである。
【００１１】
上記のように構成した室内ユニット１は、図１４に示すように、室内の壁面５０に設けた壁面金具５１に据付面３に設けた壁面据付用金具４を引っ掛けて据付けられる。この場合、室内ユニット１が壁面５０に安定して据付けられるように、設置面を室内ユニット１の外郭面で最も面積の大きい面（したがって、背面側である据付面３）とするのが一般的である。
【００１２】
［実施の形態１］
図１は本発明の実施の形態１に係る梱包装置の説明図である。１１は薄板を井桁状に組み合わせて釘等で固定した梱包木材ベースで、長手方向の一方の側の上面には発泡スチロール等からなる第１の緩衝材ベース１５ａが取付けられており、他方の側の端部から若干内側の上面には、同じく発泡スチロール等からなる第２の緩衝材ベース１５ｂが取付けられている。そして、梱包木材ベース１１に取付けた第１、第２の緩衝材ベース１５ａ，１５ｂの上には、据付面３を床面側（下側）にし、底面５を第２の緩衝材ベース１５ｂ側にして、室内ユニット１が載置される。
【００１３】
２０は梱包木材ベース１１上に載置された室内ユニット１の天面に外嵌される発泡スチロール等からなる第１の緩衝材サイドカバー、２５は同じく発泡スチロール等からなり、室内ユニット１の底面５に外嵌される第２の緩衝材サイドカバーである。４０は天面と底面５に第１、第２の緩衝材サイドカバー２０，２５が外嵌された室内ユニット１を覆って包装する箱状のダンボールである。  
【００１４】
次に、上記のような梱包装置を構成する梱包木材ベース１１、第１、第２の緩衝材ベース１５ａ，１５ｂ及び第１、第２の緩衝材サイドカバー２０，２５の構造について詳述する。
梱包木材ベース１１は、図２に示すように、長手方向に配設された薄板木材１２と、短手方向に配設された接合木材１２ａとを井桁状に組み合わせて、釘１３で固定したもので、嵌合木材１２ａの間には、長手方向と直交してフォークリフトの爪が差し込まれる爪差込み口１４ａ、１４ｂが設けられている。
【００１５】
緩衝材ベース１５ａ，１５ｂは、図３、図４に示すように、梱包木材ベース１１上に載置された室内ユニット１の天面側に取付けられるほぼコ字状の第１の緩衝材ベース１５ａと、底面側に取付けられる第２の緩衝材ベース１５ｂとからなっている。
１６ａ，１６ｂは第１、第２の緩衝材ベース１５ａ，１５ｂの上面に設けられた室内ユニット載置面、１７ａ，１７ｂは下面に設けられた凸状部である。１８は第２の緩衝材ベース１５ｂに設けられて、第２の緩衝材サイドカバー２５の一部が嵌合される切欠き部である。
【００１６】
上記のように構成された第１、第２の緩衝材ベース１５ａ，１５ｂの下面に設けられた凸状部１７が梱包木材ベース１１の嵌合木材１２ａの間に嵌合することにより、第１、第２の緩衝材ベース１５ａ、１５ｂは、梱包木材１１上の長手方向及び短手方向の動きが規制され、これにより、第１、第２の緩衝材ベース１５ａ、１５ｂの室内ユニット載置面１６ａ、１６ｂが、床面と平行になって傾くことがなく、室内ユニット１は安定して載置される。
【００１７】
室内ユニット１の天面に外嵌される第１の緩衝材サイドカバー２０は、図５に示すように、床面と平行な面２２ａと垂直な面２２ｂとからなる門形状の枠部２１と、枠部２１の外面側に設けられた前面板２３とからなり、梱包された室内ユニット１の倉庫保管時や搬送時に、段積み荷重や輸送衝撃から室内ユニット１の天面を譲るために、室内ユニット１の天面を覆う保護形状に形成されている。
【００１８】
また、第２の緩衝材サイドカバー２５は、横置きされた室内ユニット１の底面５に外嵌めされ、底面５及びこれに設けた機外接続配管６を保護するためのもので、図６に示すように、第１の緩衝材サイドカバー２０と同様に、床面と平行な面２７ａと下部の一部が切除された垂直な面２７ｂとからなるほぼ門形状の枠部２６と、枠部２６の外面側に設けられた背面板２８とを備えている。
【００１９】
そして、内側には、第２の緩衝材サイドカバー２５を室内ユニット１の底面５に外嵌したときに、底面５に設けられた機外接続配管６を収容して保護するための凹部３０が設けられている。本実施の形範においては、機外接続配管６の底面５からの突出長は約１０ｃｍなので、凹部３０の深さ（図６（ｃ）のＡ）を１０ｃｍより若干深くしたが、凹部３０の深さＡは、機外接続配管６の底面５からの突出長に対応して適宜設定すればよい。
【００２０】
３１は凹部３０の下部中央部に設けられて、第２の緩衝材ベース１５ｂの切欠き部１８に嵌合する第１の台座、３２は台座３１の両側に設けられて室内ユニット１を裾付けのために縦置きしたときに、室内ユニット１の重量を支持する第２の台座で、これら第１、第２の台座３１、３２は、第２の緩衝材サイドカバー２５を形成する例えば発泡スチロールの発泡倍率を低倍率とし、あるいは樹脂塗料を塗布するなどして、室内ユニット１の重量を支持しうるような強度を保持している。
【００２１】
３３は面２７ａと平行な底面、３４は背面板２８の下端部から底面３３にかけた角部に設けられ、横置きの室内ユニット１を縦置きにするために引き起こす際に、梱包木材ベース１１から降し易いように、支点となるＲ形状部である。
そして、この第２の緩衝材サイドカバー２５は、室内ユニット１の底面５に外嵌めされたときに、第１の台座３１が第２の緩衝材ベース１５ｂの切欠き部１８に嵌合することにより、梱包木材ベース１１上の短手方向への動きが規制される。
【００２２】
上記のように構成した第１、第２の緩衝材サイドカバー２０、２５の外郭面は、発泡スチロール等の成型の際に設ける必要のある抜き勾配の角度が小さいか又は無い形態としているため、枠部２１、２６が床面と平行及び垂直に形成されるので、倉庫保管等で高積みした際に梱包が傾かず、安定して保管される。
【００２３】
上記のような部材からなる梱包装置は、図７（ａ）に示すように、梱包木材ベース１１の上面に取付けた第１、第２の緩衝材ベース１５ａ、１５ｂ上に、底面５側を第２の緩衝材ベース１５ｂ側にし、裾付面３を下にして室内ユニット１が横置きに載置され、天面に第１の緩衝材サイドカバー２０が外嵌され、底面５に機外接続配管６を凹部３０内に収容して、第２の緩衝材サイドカバー２５が外嵌される。
【００２４】
そして、図７（ｂ）に示すように、第１、第２の緩衝材サイドカバー２０、２５の上から段ボール４０を嵌合し、段ボール４０で包装した室内ユニット１及び梱包木材ベース１１を、ポリプロピレン等の包装ベルト４１で一体に縛り、梱包する。
【００２５】
次に、図８により、据付けのため梱包された室内ユニット１を取り出して床面に降す作業の手順について説明する。なお、以下の作業は作業員２人で行う。
先ず、図８（ａ）に示すように、室内ユニット１を梱包した状態（図７（ｂ））から包装ベルト４１を外し、段ボール４０及び第１の緩衝材サイドカバー２０を取り外す。
ついで、１人の作業員が室内ユニット１の天面の据付側角部に手を掛けて持ち上げ、他の作業員が室内ユニット１の底面５と平行する第２の緩衝材サイドカバー２５の外郭面を、室内ユニット１の底面５側に押える。
【００２６】
これにより、室内ユニット１は、図８（ｂ）に示すように、第２の緩衝材サイドカバー２５と共に、第２の緩衝材サイドカバー２５の角部に設けたＲ形状部３４を支点として矢印方向に傾けられる。このとき、室内ユニット１は、第２の緩衝材サイドカバー２５の角部に設けたＲ形状部３４により、スムーズに傾けられる。
【００２７】
そして、室内ユニット１が４５°程度傾けられると、図８（ｃ）に示すように、室内ユニット１は、梱包木材ベース１１の角部と第２の緩衝材サイドカバー２５の底面３３とが接しながら矢印方向にずれ落ち、第２の緩衝材サイドカバー２５のＲ形状部３４が床面に当接する。このとき、第２の緩衝材サイドカバー２５の角部がＲ形状部３４となっているため、梱包木材ベース１１の角部に引っ掛かることなく、室内ユニット１をスムーズにずり落すことができる。
【００２８】
そして、第２の緩衝材サイドカバー２５のＲ形状部３４を支点として室内ユニット１を矢印方向にさらに起こすことにより、図８（ｄ）に示すように、室内ユニット１を縦置きすることができる。
このとき、第２の緩衝材サイドカバー２５には強度の大きい第１、第２の台座３１，３２が設けられているので、室内ユニット１の大きな荷重が加えられても、第２の緩衝材サイドカバー２５が潰れたり室内ユニット１が倒れたりすることがない。また、機外接続配管６は第２の緩衝材サイドカバー２５の凹部３０内に収容されているので、変形したり破損したりすることがなく、室内ユニット１を安定して縦置きすることができる。
【００２９】
さらに、第２の緩衝材サイドカバー２５の外郭は、床面と平行な面２７ａと垂直な面２７ｂとからなる門型状の枠部２６で形成されているので、室内ユニット１を縦置きする際、第２の緩衝材サイドカバー２５の背面板２８が床面と平行になり、室内ユニット１が傾くことがない。
【００３０】
以上のように、本実施の形態に係る梱包装置によれば、底面５から突出した機外接続配管６を有し、重量及び外形が大きい室内ユニット１を梱包することにより、倉庫保管等のため高積みしても安定して保管することができ、フォークリフト等の搬送手段を使用することができる。
また、梱包した室内ユニット１の据付け時には、その底面５を第２の緩衝材サイドカバー２５が覆った状態で、室内ユニット１を起こして床面に降し縦置きにできるため、室内ユニット１の底面５から取出された機外接続配管６が変形したり損傷したりすることがなく、ダンボール包装した軽量、小形の機器の場合と同様の据付性を確保することができる。
【００３１】
［実施の形態２］
図９は本発明の実施の形態２に係る機器の梱包装置の第２の緩衝材サイドカバーの斜視図である。なお、実施の形態１の第２の緩衝材サイドカバーと同じ部分には、これと同じ符号を付してある。
本実施の形態は、第２の緩衝材サイドカバー２５を構成する門型の枠部２６の両垂直面２７ｂの支持台座３２側の内側を切り欠いて、手掛け部３５を形成したものである。実施例では、作業者が軍手を装着しても挿入できるように、手掛け部３５の幅を１０ｃｍとした。
【００３２】
本実施の形態によれば、図１０に示すように、第２の緩衝材サイドカバー２５を室内ユニット１の底面５に外嵌して縦置きにしたときに、室内ユニット１の底面５と第２の緩衝材サイドカバー２５の垂直面２７ｂとの間に、手を挿入できる手掛け部３５が開口する。
実施の形態１においては、縦置きされた室内ユニット１を持ち上げる場合は、２人の作業者が縦置きされた室内ユニット１の両側に立ち、それぞれが室内ユニット１の底面５の据付面３側と、天面の前面側とを支えて持ち上げている。
【００３３】
本実施の形態においては、図１１に示すように、縦置きされた室内ユニット１の下面に外嵌された第２の緩衝材サイドカバー２５の据付面３側に設けた手掛け部３５に、室内ユニット１の両側に立った２人の作業員が、一方の手を手掛け部３５に掛けて支え、他方の手を天面の手前側に掛けて支えて持ち上げる。
本実施の形態によれば、縦置きされた室内ユニット１をより簡単かつ確実に持ち上げることができる。
【００３４】
上記の説明では、本発明に係る梱包装置により、底面５に機外接続配管６が突設された室内ユニット１を梱包する場合を示したが、本発明に係る梱包装置で梱包する機器はこれに限定するものではなく、例えば下面に突出部を有する他の機器にも実施することができる。
【符号の説明】
【００３５】
１  室内ユニット、２  意匠ケース、３  据付面、４  壁面据付用金具、５  底面、６  機外接続配管、１１  梱包木材ベース、１４ａ，１４ｂ  フォークリフトの爪差込み口、１５ａ  第１の緩衝材ベース、１５ｂ  第２の緩衝材ベース、１６ａ，１６ｂ  室内ユニット載置面、２０  第１の緩衝材サイドカバー、２１  枠部、２５  第２の緩衝材サイドカバー、２６  枠部、３０  凹部、３１  第１の台座、３２  第２の台座、３４  Ｒ形状部、３５  手掛け部、４０  段ボール、４１  包装ベルト。
【図１】
0005674580.tif 000002
【図２】
0005674580.tif 000003
【図３】
0005674580.tif 000004
【図４】
0005674580.tif 000005
【図５】
0005674580.tif 000006
【図６】
0005674580.tif 000007
【図７】
0005674580.tif 000008
【図８】
0005674580.tif 000009
【図９】
0005674580.tif 000010
【図１０】
0005674580.tif 000011
【図１１】
0005674580.tif 000012
【図１２】
0005674580.tif 000013
【図１３】
0005674580.tif 000014
【図１４】
0005674580.tif 000015